(57)【要約】      （修正有）【課題】家庭用薄葉紙の残量が減った場合でも家庭用薄葉紙が容器本体の前面方向に斜めに傾き蓋部が閉めにくくなることを防止できる家庭用薄葉紙収納容器を提供する。【解決手段】家庭用薄葉紙Ｐを前後方向に複数積層されるように内部に収納すると共に、上部に家庭用薄葉紙Ｐを取り出すための開口部を有する容器本体１と、容器本体１に後面側に回動可能に設けられ、開口部を開閉自在とする蓋部２と、容器本体１の底面であってその中心よりも前面側に容器本体１の後面方向に向かって傾斜して設けられた固定板３とを備える。【選択図】図１
2014065534.tif 000002
【特許請求の範囲】
【請求項１】
家庭用薄葉紙を前後方向に複数積層されるように内部に収納すると共に、上部に前記家庭用薄葉紙を取り出すための開口部を有する容器本体と、
前記容器本体に後面側に回動可能に設けられ、前記開口部を開閉自在とする蓋部と、
前記容器本体の底面であってその中心よりも前面側に前記容器本体の後面方向に向かって傾斜して設けられた固定板と、
を備えたことを特徴とする家庭用薄葉紙収納容器。
【請求項２】
前記容器本体の底面であってその中心よりも後面側に前記容器本体の前面方向に向かって傾斜すると共に、少なくとも先端部が前記容器本体の前後方向に可動な状態で設けられた可動板と、
を備えたことを特徴とする請求項１に記載の家庭用薄葉紙収納容器。
【請求項３】
前記可動板は、
前記容器本体の前後方向に回動可能に設けられることを特徴とする請求項２に記載の家庭用薄葉紙収納容器。
【請求項４】
前記可動板は、
前記容器本体の前後方向に移動可能に設けられることを特徴とする請求項２に記載の家庭用薄葉紙収納容器。
【請求項５】
前記可動板の動作を制限する制限板を備え、
前記可動板は、前記制限板により前記容器本体の前面方向の可動が制限されることを特徴とする請求項２〜４の何れか一項に記載の家庭用薄葉紙収納容器。
【請求項６】
前記可動板の動作を制限する弾性部材を備え、
前記可動板は、前記弾性部材により前記容器本体の前面方向の可動が制限されることを特徴とする請求項２〜４の何れか一項に記載の家庭用薄葉紙収納容器。
【請求項７】
前記固定板と前記可動板とが一体成型されたことを特徴とする請求項２〜６の何れか一項に記載の家庭用薄葉紙収納容器。
【発明の詳細な説明】
【技術分野】
【０００１】
本発明は、家庭用薄葉紙収納容器に関する。
【背景技術】
【０００２】
従来、トイレの壁や床及び便器等のトイレ空間の拭き掃除に用いられるトイレクリーナー等の家庭用薄葉紙を収納する家庭用薄葉紙収納容器（以下、容器と呼ぶ。）が知られている。容器は、家庭用薄葉紙を収納する容器本体と、容器本体の開口部を塞ぐための蓋部とを備え、当該蓋部を開けることにより、本体容器の開口部から収納されている家庭用薄葉紙を取り出すことができるようになっている。
また、家庭用薄葉紙は厚みを持っており、本体容器から取り出し易くするため家庭用薄葉紙は容器本体内に立った状態で収納されている。
【０００３】
このため、家庭用薄葉紙の残量が減ってくると家庭用薄葉紙が倒れ易くなるので、蓋部の開動作に連動して家庭用薄葉紙を容器本体の前面に押圧する可動部を備えることにより、家庭用薄葉紙の残量に関わりなく家庭用薄葉紙の取り出しが容易な家庭用薄葉紙収納容器が実現されている（例えば、特許文献１参照）。
【０００４】
また、蓋部の開動作に連動して家庭用薄葉紙が載置された載置部材を容器本体の開口部に移動させることにより、家庭用薄葉紙の残量に関わりなく家庭用薄葉紙の取り出しが容易な家庭用薄葉紙収納容器が実現されている（例えば、特許文献２参照）。
【先行技術文献】
【特許文献】
【０００５】
【特許文献１】特開２０１０−２２８７６５号公報
【特許文献２】特開２０１０−２２８７６６号公報
【発明の概要】
【発明が解決しようとする課題】
【０００６】
しかしながら、特許文献１に記載された家庭用薄葉紙収納容器では、可動部により家庭用薄葉紙を容器本体の前面に押圧しているため、家庭用薄葉紙の残量が減ってくると家庭用薄葉紙が容器本体の前面方向に斜めに傾いた状態になり易い。
また、特許文献２に記載された家庭用薄葉紙収納容器では、載置部材内部には載置された家庭用薄葉紙を押圧する等の機能が存在しないので、載置部材内部で家庭用薄葉紙が容器本体の前面方向に斜めに傾いた状態になり易い。
【０００７】
このため、特許文献１及び特許文献２に記載された家庭用薄葉紙収納容器では、家庭用薄葉紙の残り枚数が少なくなると、家庭用薄葉紙が立った状態から容器本体の前面方向に斜めに傾いた状態になるため、斜めになった家庭用薄葉紙が蓋部と干渉して、蓋部が閉めにくくなると言った問題点があった。
【０００８】
本発明の課題は、家庭用薄葉紙の残量が減った場合でも家庭用薄葉紙が容器本体の前面方向に斜めに傾き蓋部が閉めにくくなることを防止できる家庭用薄葉紙収納容器を提供することにある。
【課題を解決するための手段】
【０００９】
前記課題を解決するために、請求項１記載の発明は、
家庭用薄葉紙を前後方向に複数積層されるように内部に収納すると共に、上部に前記家庭用薄葉紙を取り出すための開口部を有する容器本体と、
前記容器本体に後面側に回動可能に設けられ、前記開口部を開閉自在とする蓋部と、
前記容器本体の底面であってその中心よりも前面側に前記容器本体の後面方向に向かって傾斜して設けられた固定板と、
を備えたことを特徴とする。
【００１０】
請求項２記載の発明は、請求項１に記載の家庭用薄葉紙収納容器において、前記容器本体の底面であってその中心よりも後面側に前記容器本体の前面方向に向かって傾斜すると共に、少なくとも先端部が前記容器本体の前後方向に可動な状態で設けられた可動板とを備えたことを特徴とする。
【００１１】
請求項３記載の発明は、請求項２に記載の家庭用薄葉紙収納容器において、前記可動板は、前記容器本体の前後方向に回動可能に設けられることを特徴とする。
【００１２】
請求項４記載の発明は、請求項２に記載の家庭用薄葉紙収納容器において、前記可動板は、前記容器本体の前後方向に移動可能に設けられることを特徴とする。
【００１３】
請求項５記載の発明は、請求項２〜４の何れか一項に記載の家庭用薄葉紙収納容器において、前記可動板の動作を制限する制限板を備え、前記可動板は、前記制限板により前記容器本体の前面方向の可動が制限されることを特徴とする。
【００１４】
請求項６記載の発明は、請求項２〜４の何れか一項に記載の家庭用薄葉紙収納容器において、前記可動板の動作を制限する弾性部材を備え、前記可動板は、前記弾性部材により前記容器本体の前面方向の可動が制限されることを特徴とする。
【００１５】
請求項７記載の発明は、請求項２〜６の何れか一項に記載の家庭用薄葉紙収納容器において、前記固定板と前記可動板とが一体成型されたことを特徴とする。
【発明の効果】
【００１６】
本発明によれば、前面方向の容器本体の底面であって、後面方向に向かって傾斜して固定板を設けることにより、収納された家庭用薄葉紙の残量が減った場合であっても、家庭用薄葉紙全体が前面方向に傾き蓋部が閉めにくくなることを防止できる。
【図面の簡単な説明】
【００１７】
【図１】第１実施形態の家庭用薄葉紙収納容器の一例を示す断面図である。
【図２】第１実施形態の家庭用薄葉紙収納容器の一例を示す平面図である。
【図３】第１実施形態の家庭用薄葉紙収納容器の蓋部の開状態を示す説明図である。
【図４】第１実施形態の家庭用薄葉紙収納容器に残存する家庭用薄葉紙の一例を示す説明図である。
【図５】第１実施形態の家庭用薄葉紙収納容器に残存する家庭用薄葉紙の一例を示す説明図である。
【図６】第１実施形態の家庭用薄葉紙収納容器に残存する家庭用薄葉紙の一例を示す説明図である。
【図７】第１実施形態の家庭用薄葉紙収納容器の固定板の角度による影響を示す説明図である。
【図８】第２実施形態の家庭用薄葉紙収納容器の一例を示す断面図である。
【図９】変形例１の家庭用薄葉紙収納容器の一例を示す断面図である。
【図１０】変形例２の家庭用薄葉紙収納容器の一例を示す断面図である。
【図１１】変形例３の家庭用薄葉紙収納容器の一例を示す断面図である。
【発明を実施するための形態】
【００１８】
以下、図面を参照しつつ、本発明の実施形態である家庭用薄葉紙収納容器を詳細に説明する。但し、発明の範囲は、図示例に限定されない。
【００１９】
（第１実施形態）
本発明の第１実施形態の家庭用薄葉紙収納容器について、図１、図２、図３、図４、図５、図６及び図７に基づいて説明する。
【００２０】
家庭用薄葉紙収納容器１００は、図１〜図３に示すように、上部に開口部ＡＰが設けられ、内部に家庭用薄葉紙Ｐを収納するための容器本体１と、容器本体１の後面側のヒンジ機構部（図示せず。）を介して回動可能に設けられ、当該開口部ＡＰを開閉自在にする蓋部２と、容器本体１の内部底面に当該底面に固定された固定板３と、当該底面に可動状態で設けられた可動板４とを備えている。
【００２１】
また、詳しくは、固定板３は、開閉ボタンＢＴ側（前面方向）の容器本体１の底面であって、後面方向に向かって傾斜して設けられ、可動板４は、反対側（後面方向）の容器本体１の底面であって、前面方向に向かって傾斜すると共に、前後方向に回動可能に設けられる。
【００２２】
家庭用薄葉紙収納容器１００は、蓋部２が閉じられた状態で箱体状に形成されており、容器本体１の内部に、トイレクリーナー等の家庭用薄葉紙Ｐが前後方向に複数積層された状態、言い換えれば、立った状態で収納される。但し、容器本体１には固定板３及び可動板４がそれぞれ設けられているので、家庭用薄葉紙Ｐは、固定板３及び可動板４で仕切られ前面スペースＦＳ、中央スペースＣＳ、及び後面スペースＢＳにそれぞれ分散されて収納されることになる。
【００２３】
また、家庭用薄葉紙収納容器１００は、開閉ボタンＢＴを操作することにより、開閉ボタン部分の係合が解除されると共に、ヒンジ機構部（図示せず。）に設けられたねじりコイルばね（図示せず。）の付勢力により蓋部２が押し上げられて開動作して、例えば、図３に示すように蓋部２が開くようになっている。
【００２４】
家庭用薄葉紙収納容器１００の容器本体１、蓋部２、固定板３及び可動板４は、ＰＰ（ポリプロピレン（polypropylene））、ＰＥ（ポリエチレン（polyethylene））、ＰＥＴ（ポリエチレンテレフタラート（Polyethylene terephthalate））、ＡＢＳ（アクリロニトリル（Acrylonitrile）、ブタジエン（Butadiene）、スチレン（Styrene）共重合合成樹脂）、塩化ビニール等の樹脂素材を、ブロー形成、射出形成（コールドランナー、ホットランナー）等の製造方法で加工することによって形成される。
【００２５】
ここで、家庭用薄葉紙の残量が減った場合の家庭用薄葉紙収納容器１００の作用について図４〜図６を用いて説明する。
【００２６】
図１〜図３に示すような家庭用薄葉紙Ｐが最大数収納された状態から、家庭用薄葉紙Ｐの使用により家庭用薄葉紙Ｐの残り枚数が少なくなる場合、先ず第１に、中央スペースＣＳの家庭用薄葉紙Ｐが使用された場合を想定する。
【００２７】
この場合、中央スペースＣＳの家庭用薄葉紙Ｐの数が減少するため、残存する家庭用薄葉紙Ｐは、前後どちらの方向に倒れ易い状態になる。しかし、図４に示すように可動板４が矢印のように前面方向に回動して中央スペースＣＳに収納された家庭用薄葉紙Ｐが倒れるのを防止するように作用する。
【００２８】
この時、後面スペースＢＳに収納されている家庭用薄葉紙Ｐ１が前面方向に若干倒れた状態になるが、後面スペースＢＳに収納されている家庭用薄葉紙Ｐ１が取り出しにくくなる訳ではなく、また、倒れた状態の家庭用薄葉紙Ｐ１は蓋部２と干渉することはないので、蓋部２が閉めにくくなることも発生しない。
【００２９】
一方、前面スペースＦＳに収納されている家庭用薄葉紙Ｐ２は、後面方向に向かって傾斜して設けられた固定板３に寄り添った状態であるので、従来のように家庭用薄葉紙Ｐ２が前面方向に斜めに傾いた状態にはならない。
【００３０】
すなわち、中央スペースＣＳの家庭用薄葉紙Ｐが使用された場合、後面スペースＢＳに収納されている家庭用薄葉紙Ｐ１が前面方向に若干倒れた状態になるものの、家庭用薄葉紙Ｐ全体が前面方向に傾くことない。このため、斜めになった家庭用薄葉紙が蓋部２と干渉して、蓋部２が閉めにくくなると言った問題は発生しない。
【００３１】
第２に、前面スペースＦＳの家庭用薄葉紙Ｐが使用された場合を想定する。この場合、前面スペースＦＳの家庭用薄葉紙Ｐが使用されるため、図５に示すように、家庭用薄葉紙収納容器１００に残存する家庭用薄葉紙Ｐの状態に変化はない。
【００３２】
例えば、前面スペースＦＳに複数の家庭用薄葉紙Ｐが残存している場合であっても、残存している家庭用薄葉紙Ｐは、後面方向に向かって傾斜して設けられた固定板３に寄り添った状態であるので、従来のように家庭用薄葉紙Ｐが前面方向に斜めに傾いた状態にはならないので、蓋部２が閉めにくくならない。
【００３３】
第３に、後面スペースＢＳの家庭用薄葉紙Ｐが使用された場合を想定する。この場合も、後面スペースＢＳの家庭用薄葉紙Ｐが使用されるため、図６に示すように、家庭用薄葉紙収納容器１００に残存する家庭用薄葉紙Ｐの状態に変化はない。
【００３４】
例えば、後面スペースＢＳに複数の家庭用薄葉紙Ｐが残存している場合であっても、残存している家庭用薄葉紙Ｐは、前面方向に向かって傾斜して設けられた可動板４に寄り添った状態であるので、家庭用薄葉紙Ｐ全体が前面方向に傾くことなく、蓋部２が閉めにくくならない。
【００３５】
なお、固定板３の傾斜角度は、６０°以上９０°未満が望ましい。例えば、図７に示すように、固定板３の傾斜角度が６０°未満の鋭角であると、前面スペースＦＳに収納された家庭用薄葉紙Ｐが後面方向に傾いて重なることにより、家庭用薄葉紙Ｐ３のように蓋部２と干渉する場合が想定され、家庭用薄葉紙Ｐが取り出しにくくなってしまう。
【００３６】
一方、傾斜角度が鈍角であると、前面スペースＦＳに収納された家庭用薄葉紙Ｐが前面方向に傾いて重なることになり、従来のように家庭用薄葉紙Ｐが蓋部２と干渉して、蓋部２が閉めにくくなってしまう。このため、固定板３の傾斜角度は９０°未満が望ましい。
【００３７】
また、可動板４の傾斜角度は、例えば、６０°未満の鋭角であると、後面スペースＢＳに収納された家庭用薄葉紙Ｐが前面方向に傾いて重なることにより、家庭用薄葉紙Ｐが取り出しにくくなってしまう。このため、可動板４の傾斜角度は６０°以上が望ましい。
【００３８】
特に、前述のように、中央スペースＣＳの家庭用薄葉紙Ｐが使用された場合には、可動板４は前面方向に回動するため、可動板４が最大限回動した場合の傾斜角度が、６０°以上になることが望ましい。
【００３９】
以上のように、容器本体１の底面であってその中心よりも前面側に、後面方向に向かって傾斜して固定板３を設け、容器本体１の底面であってその中心よりも後面側に、前面方向に向かって傾斜すると共に、前面方向に可動（回動可能）な可動板４を設けることにより、収納された家庭用薄葉紙Ｐの残量が減った場合であっても、家庭用薄葉紙Ｐ全体が前面方向に傾くことを防止でき、斜めになった家庭用薄葉紙Ｐが蓋部２と干渉して、蓋部２が閉めにくくなることを防止できる。
【００４０】
（第２実施形態）
本発明の第２実施形態の家庭用薄葉紙収納容器について、図８に基づいて説明する。なお、本発明の第１実施形態と同様の部分に関しては説明を省略する。
【００４１】
家庭用薄葉紙収納容器１０１は、図８に示すように、上部に開口部が設けられ、内部に家庭用薄葉紙Ｐを収納するための容器本体１と、容器本体１のヒンジ機構部（図示せず。）を介して回動可能に設けられ、当該開口部を開閉自在にする蓋部２と、容器本体１の内部底面に固定された固定板３とを備えている。
【００４２】
また、詳しくは、固定板３は、前面方向の容器本体１の底面であって、後面方向に向かって傾斜して設けられる。言い換えれば、第２実施形態は、第１実施形態から可動板４を取り除いた構成である。
【００４３】
家庭用薄葉紙収納容器１０１は、蓋部２が閉じられた状態で箱体状に形成されており、容器本体１の内部に、トイレクリーナー等の家庭用薄葉紙Ｐが前後方向に複数積層された状態、言い換えれば、立った状態で収納される。但し、容器本体１には固定板３が設けられているので、家庭用薄葉紙Ｐは、固定板３で仕切られ前面スペースＦＳ１及び後面スペースＢＳ１にそれぞれ分散されて収納されることになる。
【００４４】
ここで、家庭用薄葉紙の残量が減った場合の家庭用薄葉紙収納容器１０１の作用について説明する。
【００４５】
図８に示すような家庭用薄葉紙Ｐが最大数収納された状態から、家庭用薄葉紙Ｐの使用により家庭用薄葉紙Ｐの残り枚数が少なくなる場合、先ず第１に、前面スペースＦＳ１の家庭用薄葉紙Ｐが使用された場合を想定する。
【００４６】
この場合、前面スペースＦＳ１の家庭用薄葉紙Ｐが使用されるため、家庭用薄葉紙収納容器１０１に残存する家庭用薄葉紙Ｐの状態に変化はない。
【００４７】
例えば、前面スペースＦＳ１に複数の家庭用薄葉紙Ｐが残存している場合であっても、残存している家庭用薄葉紙Ｐは、後面方向に向かって傾斜して設けられた固定板３に寄り添った状態であるので、従来のように家庭用薄葉紙Ｐが前面方向に斜めに傾いた状態にならず蓋部２が閉めにくくならない。
【００４８】
第２に、後面スペースＢＳ１の家庭用薄葉紙Ｐが使用された場合を想定する。この場合も、後面スペースＢＳ１の家庭用薄葉紙Ｐが使用されるため、家庭用薄葉紙収納容器１０１に残存する家庭用薄葉紙Ｐの状態に変化はない。
【００４９】
例えば、後面スペースＢＳ１に複数の家庭用薄葉紙Ｐが残存している場合であっても、残存している家庭用薄葉紙Ｐは、固定板３に寄り添った状態であるので、家庭用薄葉紙Ｐ全体が前面方向に傾くことなく、蓋部２が閉めにくくならない。
【００５０】
以上のように、容器本体１の底面であってその中心よりも前面側に、後面方向に向かって傾斜して固定板３を設けることにより、収納された家庭用薄葉紙Ｐの残量が減った場合であっても、家庭用薄葉紙Ｐ全体が前面方向に傾くことを防止でき、斜めになった家庭用薄葉紙Ｐが蓋部２と干渉して、蓋部２が閉めにくくなることを防止できる。
【００５１】
（変形例１）
本発明の第１実施形態の変形例１について、図９に基づいて説明する。
図９は変形例１の家庭用薄葉紙収納容器１０２の一例を示す断面図である。第１実施形態では、可動板４は、容器本体１の底面であってその中心よりも後面側に、前面方向に向かって傾斜すると共に、前後方向に回動可能に設けられているが、変形例１では、可動板４１は、容器本体１の底面であってその中心よりも後面側に、前面方向に向かって傾斜すると共に、前後方向に移動可能に設けられる。
【００５２】
例えば、可動板４１は、容器本体１の底面であって前後方向に一対のレール（図示せず。）を設け、このレールの間に係合され、前後方向にスライド可能な状態で設けられる。また、必要に応じて、可動板４１は、バネ等の弾性部材（図示せず。）で容器本体１の前方向に付勢力を与えられる。
【００５３】
すなわち、図９に示すように、変形例１では、可動板４１は、矢印のように前後方向に向かって水平移動可能なように、容器本体１の底面に設けられる。そして、第１実施形態と同様に作用する。
【００５４】
例えば、中央スペースＣＳの家庭用薄葉紙Ｐが使用された場合を想定する。この場合、中央スペースＣＳの家庭用薄葉紙Ｐの数が減少するため、残存する家庭用薄葉紙Ｐは、前後どちらの方向に倒れ易い状態になる。しかし、図９に示すように可動板４１が前面方向に移動して中央スペースＣＳに収納された家庭用薄葉紙Ｐが倒れるのを防止するように作用する。
【００５５】
以上のように、変形例１によれば、前面方向の容器本体１の底面であって、後面方向に向かって傾斜して固定板３を設け、後面方向の容器本体１の底面であって、前面方向に向かって傾斜すると共に、前面方向に移動可能に可動板４１を設けることにより、収納された家庭用薄葉紙Ｐの残量が減った場合であっても、家庭用薄葉紙Ｐ全体が前面方向に傾くことを防止でき、斜めになった家庭用薄葉紙Ｐが蓋部２と干渉して、蓋部２が閉めにくくなることを防止できる。
【００５６】
（変形例２）
本発明の第１実施形態の変形例２について、図１０に基づいて説明する。
図１０は変形例２の家庭用薄葉紙収納容器１０３の一例を示す断面図である。第１実施形態では、可動板４の可動範囲（回動角度）が特に制限されていない。また、変形例１では、可動板４１の可動範囲（移動距離）が特に制限されていない。
【００５７】
このため、可動板４の傾斜角度が好適な傾斜角度（例えば、６０°以上）よりも小さくなったり、可動板４１が必要以上に移動して後面スペースＢＳ１の家庭用薄葉紙Ｐが必要以上に倒れることも考えられる。
そこで、変形例２では、後面方向の容器本体１の底面であって、可動板４の近傍に容器本体の前面方向の可動を制限する制限板５を設ける。
【００５８】
例えば、第１実施形態では、制限板５は可動板４の回動角度（傾斜角度）に制限を与えるので、必要以上に傾斜角度が小さくなることを防止することができ、家庭用薄葉紙Ｐが取り出しにくくなることを確実に防止することができる。
【００５９】
また、例えば、変形例１では、制御板５は可動板４１の移動距離に制限を与えるので、必要以上に移動距離が大きくなることを防止することができ、後面スペースＢＳ１の家庭用薄葉紙Ｐが必要以上に倒れることにより、家庭用薄葉紙Ｐが取り出しにくくなることを確実に防止することができる。
【００６０】
以上のように、変形例２によれば、後面方向の容器本体１の底面であって、可動板４（或いは、可動板４１）の近傍に容器本体の前面方向の可動を制限する制限板５を設けることにより、必要以上に傾斜角度が小さくなることを防止することができ、或いは、必要以上に移動距離が大きくなることを防止することができ、家庭用薄葉紙Ｐが取り出しにくくなることを確実に防止することができる。
【００６１】
（変形例３）
本発明の第１実施形態の変形例３について、図１１に基づいて説明する。
図１１は変形例３の家庭用薄葉紙収納容器１０４の一例を示す断面図である。第１実施形態等と異なる点は、固定板３及び可動板４を一体成型した補助板６を設けた点である。
【００６２】
すなわち、固定板３の機能を有する傾斜部ＦＸと、可動板４の機能を有する傾斜部ＭＶとを備えた補助板６を容器本体１の底面の中央部分に設ける。勿論、傾斜部ＭＶは、可動板４と同様に、容器本体１の前面方向に向かって傾斜すると共に、前面方向に回動可能、或いは、移動可能な状態になっている。
【００６３】
以上のように、変形例３によれば、固定板３の機能を有する傾斜部ＦＸと、可動板４の機能を有する傾斜部ＭＶとを備えた補助板６を後面方向の容器本体１の底面の中央部分に設けることにより、部品点数が少なくなるので製造が容易になる。
【００６４】
なお、可動板４等と容器本体１とをコイルバネ等の弾性部材を用いて接合する場合、当該弾性部材としては、金属、若しくは、ＰＰ（ポリプロピレン（polypropylene））等の樹脂素材を用いることができる。
【００６５】
また、家庭用薄葉紙収納容器の気密性を保持するために、蓋部２の内側や、容器本体１における蓋部２との接触部分に、エラストマーやシリコンから成るパッキン等の気密部材を設けても構わない。
【００６６】
また、蓋部２を開閉させるため蓋部２に付勢力を与えるための弾性部材としては、金属、若しくは、ＰＰ（ポリプロピレン（polypropylene））等の樹脂素材で形成されたコイルばねや、シリコン樹脂板等を用いることができる。
【００６７】
また、第１実施形態や第２実施形態の家庭用薄葉紙収納容器の説明に際しては、蓋部２は、容器本体１の図示しないヒンジ機構部を介して回動可能に設けられ、と説明しているが、勿論、蓋部２が回動可能に容器本体１に設けられるのであれば、ヒンジ機構部の有無に関わりなく、どのような構成であっても構わない。
【００６８】
また、第１実施形態や第２実施形態の家庭用薄葉紙収納容器の説明に際しては、開閉ボタンＢＴを操作することにより、開閉ボタン部分の係合が解除されると共に、ヒンジ機構部（図示せず。）に設けられたねじりコイルばね（図示せず。）の付勢力により蓋部２が押し上げられて開動作して、蓋部２が開くようになっている、と説明しているが、勿論、このような開閉機構は必須の構成でなく、開閉ボタン操作によって蓋部２が自動的に開かないものであっても構わない。
【００６９】
また、固定板３は、別部品として成型した後、容器本体１と組み合わせるものであっても、容器本体１と一体成型するものであってもどちらでも構わない。また、可動板４（或いは、可動板４１）も、別部品として成型した後、容器本体１と組み合わせるものであっても、容器本体１と一体成型するものであってもどちらでも構わない。
【００７０】
また、可動板４（或いは、可動板４１）は、コイルばね等の弾性部材により、可動範囲を制限するものであっても構わない。例えば、必要以上に傾斜角度が小さくなることを防止し、或いは、必要以上に移動距離が大きくなることを防止する。
【００７１】
また、可動板４（或いは、可動板４１）は、バネ等の弾性部材で容器本体１の前方向に付勢力を与えられることが望ましい。さらに、可動板４（或いは、可動板４１）は、可倒性を有するものであっても、前後方向に撓む等の弾性を有するものであっても構わない。
【符号の説明】
【００７２】
１  容器本体
２  蓋部
３  固定板
４、４１  可動板
５  制限板
６  補助板
ＢＴ  開閉ボタン
Ｐ、Ｐ１、Ｐ２、Ｐ３  家庭用薄葉紙
１００、１０１、１０２、１０３、１０４  家庭用薄葉紙収納容器
【図１】
2014065534.tif 000003
【図２】
2014065534.tif 000004
【図３】
2014065534.tif 000005
【図４】
2014065534.tif 000006
【図５】
2014065534.tif 000007
【図６】
2014065534.tif 000008
【図７】
2014065534.tif 000009
【図８】
2014065534.tif 000010
【図９】
2014065534.tif 000011
【図１０】
2014065534.tif 000012
【図１１】
2014065534.tif 000013